(57)【要約】      （修正有）【課題】同一の部材で傾き方向が異なる２種類のルーバーフェンスを製作したり、一枚置き或は複数枚置きに羽板の向きを変えたり、羽板を間引いたりした特徴ある構成のルーバーフェンスを簡単に製作できる支持板を提供する。【解決手段】左右の縦框１、１と上下の横框２、２で形成されたフェンス枠３の内部に羽板４が、相互隙間５を有するように配列されたルーバーフェンスＡであって、上記フェンス枠における左右の縦框は、対応する内面に長手方向の溝部６、６を形成され、上記羽板４は両端に支持板７、７を取り付けられて、これら支持板を上記縦框に形成された溝部へ嵌合することで縦框に支持され、上記支持板７，７は、上記溝部の開口に対応する部分に、上記羽板を嵌合させる受溝を０°〜４５°の傾き角で、溝端が支持板の上下の端縁より隙間代だけ離れるように形成した。【選択図】図８
2013227753.tif 000002
【特許請求の範囲】
【請求項１】
左右の縦框と上下の横框で形成されたフェンス枠の内部に、両端を左右の縦框に支持させた羽板が、隙間を有するように並設されたルーバーフェンスであって、
上記フェンス枠における左右の縦框は、対応する内面に長手方向の溝部を形成され、
上記羽板は両端に支持板を取り付けられて、これら支持板を上記縦框に形成された溝部へ嵌合することで縦框に支持され、
上記支持板は、上記溝部の開口に対応する部分に、上記羽板を嵌合させる受溝を０°〜４５°の傾き角で溝端が支持板の上下の端縁より隙間代だけ離れるように形成されていることを特徴とするルーバーフェンス。
【請求項２】
両端に支持板を取り付けられた羽板が、１８０°転回させると傾き方向を正逆に変換される
ことを特徴とする請求項１に記載のルーバーフェンス。
【請求項３】
上記支持板の一部が、羽板を取り付けられず縦框に形成された溝部へ嵌合されるものである
ことを特徴とする請求項１又は請求項２に記載のルーバーフェンス。
【請求項４】
上記支持板が、上記羽板を嵌合させる受溝を異なる傾き角で形成された複数種類を備えて、希望する傾き角の支持板を選択使用されるものである
ことを特徴とする請求項１〜請求項３いずれかに記載のルーバーフェンス。
【請求項５】
上記支持板が、上記羽板を嵌合させる受溝を異なる傾き角で複数個形成されて、希望する傾き角の受溝を選択使用するものである
ことを特徴とする請求項１〜請求項４いずれかに記載のルーバーフェンス。
【請求項６】
上記支持板が、上下の稜部を同一半径の円弧面とした菱形に形成され、上記円弧面の稜部には位置決め用の歯形を形成されて、縦框に形成される溝部への嵌合態様を変換させると、内面に形成された羽板の受溝の傾き角が複数種類に変換されるものである
ことを特徴とする請求項１〜請求項５いずれかに記載のルーバーフェンス。
【請求項７】
上記支持板が上部と下部に、上記縦框に形成された溝部へ嵌合されて他の支持板へ重なるとき係合するように相欠を形成されている
ことを特徴とする請求項１〜請求項６いずれかに記載のルーバーフェンス。
【発明の詳細な説明】
【技術分野】
【０００１】
本発明は、通風可能な目隠しを行なうルーバーフェンスに関する。
【背景技術】
【０００２】
従来、目隠しと通風性が確保されるフェンスで、基礎の左右部に、それぞれ長手方向に形成された溝部１を向かい合わせに配置される一対の支柱２と、これら支柱間に、端部をそれぞれ各支柱の溝部内に嵌入して配置される羽板４と、上記各支柱２の溝部内に配置され、隣り合う羽板間に介在させて羽板間の隙間を、一定に保持するためのスペーサー３とを有する構成としたものは、特許文献１により知られている。
【０００３】
上記フェンスは、羽板の両端下側にスペーサーを取り付けて、該羽板の端部とスペーサーを溝部に嵌合すれば、羽板が間隔を保持して支柱に支持される操作が素早く行えるため、施工性の向上に顕著な効果を発揮するものである。しかしながら、上記構成では、同一の部材を用いて傾き方向が異なる２種類のルーバーを製作したり、羽板の向きを１枚置き或いは複数個置きに変換したり、羽板を１枚置き或いは複数枚置きに省いたりした特徴ある構成のルーバーを製作することは不可能であった。
【先行技術文献】
【特許文献】
【０００４】
【特許文献１】特開２００１−２９５５１０号
【発明の概要】
【発明が解決しようとする課題】
【０００５】
本発明は、羽板の両端へ傾き角が０°〜４５°で、上下に隙間代が得られるように受溝を形成した支持板を取り付けて、これら支持板をフェンス枠の両縦框に形成された溝部へ嵌合することで、同一の部材で傾き方向が異なる２種類のルーバーフェンスを製作したり
、一枚置き或は複数枚置きに羽板の向きを変えたり、羽板を間引いたりした特徴ある構成のルーバーフェンスを簡単に製作できることを課題とする。
【課題を解決するための手段】
【０００６】
前記課題を解決するため、請求項１に係る発明は、左右の縦框と上下の横框で形成されたフェンス枠の内部に、両端を左右の縦框に支持させた羽板が、隙間を有するように配列されたルーバーフェンスであって、上記フェンス枠における左右の縦框は、対応する内面に長手方向の溝部を形成され、上記羽板は両端に支持板を取り付けられて、これら支持板を上記縦框に形成された溝部へ嵌合することで縦框に支持され、上記支持板は、上記溝部の開口に対応する部分に、上記羽板を嵌合させる受溝を０°〜４５°の傾き角で、溝端が支持板の上下の端縁より隙間代だけ離れるように形成されていることを特徴とする。
【０００７】
請求項２に係る発明は、両端に支持板を取り付けられた羽板が、１８０°転回させると向きを正逆に変換されることを特徴とする。
【０００８】
請求項３に係る発明は、上記支持板の一部が、羽板を取り付けられず縦框に形成された溝部へ嵌合されるものであることを特徴とする。
【０００９】
請求項４に係る発明は、上記支持板が、上記羽板を嵌合させる受溝を異なる傾き角で形成された複数種類を備え、希望する傾き角の支持板を選択使用するものであることを特徴とする。
【００１０】
請求項５に係る発明は、上記支持板が、上記羽板を嵌合させる受溝を異なる傾き角で複数個形成されていることを特徴とする。
【００１１】
請求項６に係る発明は、上記支持板が、上下の稜部を同一半径の円弧面とした菱形に形成され、上記円弧面の稜部には位置決め用の歯形を形成されて、縦框に形成される溝部への嵌合態様を変換させると、内面に形成された羽板の受溝の傾き角が複数種類に変換されるものであることを特徴とする。
【００１２】
請求項７に係る発明は、上記支持板が上部と下部に、上記縦框に形成された溝部へ嵌合されて他の支持板へ重なるとき係合するように相欠を形成されていることを特徴とする。
【発明の効果】
【００１３】
請求項１に係る発明によれば、同一の部材の１８０°転回で前向きのルーバーフェンスと後向きのルーバーフェンスを簡単に製作することができ、又、羽板の向きを一枚置き或いは複数枚置きに変えれば、異なる向きの羽板が隙間を有して混在するルーバーフェンスを簡単に製作することかでき、更に、羽板が取り付けられない支持板を併用して、羽板が取り付けられた支持板の間へ挟み込めば、羽板が間引きされて間歇配列となったルーバーフェンスを簡単に製作することもできる。
【００１４】
請求項２に係る発明によれば、羽板を１８０°転回すると向きの正逆変換が素早くできて便利である。
【００１５】
請求項３に係る発明によれば、羽板が取り付けられた支持板を縦框に形成された溝部へ嵌合するとき、これら支持板の間へ羽板が取り付けられない支持板を挟み込めば、羽板が間引かれたルーバーフェンスの製作が可能となる。
【００１６】
請求項４の発明によれば、羽板の受溝を異なる傾き角で形成されている複数種類の支持板の中から、任意の幾つかを選択して羽板の両端へ取り付け、縦框に形成された溝部へ嵌合させれば、羽板が異なる傾き角で混在したルーバーフェンスの製作が容易にできる。
【００１７】
請求項５の発明によれば、支持板に異なる傾き角で形成された複数の受溝の中から、どの受溝を選択して羽板の取り付けを行なうかで、一種類の支持板を用いても羽板の傾き角が異なる複数種類のルーバーフェンスを製作したり、羽板が異なる傾き角で混在したルーバーフェンス製作したりすることが容易にできる。
【００１８】
請求項６の発明によれば、円形切頭の菱形に形成された支持板は、縦框の溝部へ嵌合する態様を三様に変化させて、受溝に両端を嵌合させた羽板の傾き角を三様に変化させることができて、これも１種類の支持板を用いて羽板の傾き角が異なる複数種類のルーバーフェンスを製作したり、羽板が異なる傾き角で混在したルーバーフェンス製作したりすることが容易にできる。
【００１９】
請求項７の発明によれば、支持板を縦框に形成された溝部へ嵌合させて、他の支持板に重ならせると、両方の支持板に形成される相欠が係合して両支持板を接近させ、支持板に支持された羽板の一部分を重ならせて、隙間を前後の方向には開口させないため、隙間よりの覗き見が完全に防止される。
【図面の簡単な説明】
【００２０】
【図１】本発明に係るルーバーフェンスが完成した態様を示す斜視図
【図２】同上のフェンス枠を縦框と横框を継手部材で接合して形成する態様の一部分を示す斜視図
【図３】羽板の一部分を省略した斜視図
【図４】（ａ）（ｂ）（ｃ）（ｄ）（ｅ）は、上記羽板の端面形状の各例を示すもので、図７（ａ）（ｂ）は、板状の羽板を中空に成形した例を示し、図７（ｃ）は薄板がくの字形に曲げられた例を示し、図７（ｄ）は薄い斜板の上部と下部に垂直部が形成された例を示し、図７（ｅ）は薄板をＳ字形をなすようにくねらせた例を示している。
【図５】（ａ）（ｂ）は、羽板の両端に取り付けて縦框の溝部へ嵌合させる一対の支持板の内面図
【図６】上記支持板の一部を破断して示す平面図
【図７】（ａ）（ｂ）（ｃ）は、同上支持板の変形例を示すもので、図１０（ａ）は、支持板の内面に羽板の受溝が異なる傾き角で３条形成された例を示し、図１０（ｂ）は、支持板の形状を上下の稜部が同一半径の円弧面をなす菱形に形成して、縦框に形成された溝部への嵌合態様を三様に変換させる例を示し、図１０（ｃ）は、支持板の上部と下部に相欠を形成した例を示している。
【図８】下框で結合された一対の縦框が内側面へ形成された溝部へ、羽板の両端に取り付けられた支持板を嵌合してルーバーフェンスを製作する態様の説明図。
【図９】（ａ）（ｂ）（ｃ）（ｄ）は、図５、図６に示す支持板を用いた羽板の縦框への取付態様を示すもので、図９（ａ）は、羽板が左へ傾くよう取り付けられた支持板を、溝部へ嵌合して羽板が左傾して揃うようにした態様を示し、図９（ｂ）は上記羽板を１８０°転回させて、支持板の左右を入れ替え、溝部へ嵌合することで羽板が右傾して揃うようにした態様を示し、図９（ｃ）は羽板を１枚置きに１８０°転回させて向きを変換し、溝部へ嵌合することで、羽板の向きが交互に変るようにした態様を示し、図９（ｄ）は、両端に支持板を取り付けられた羽板を、支持板の溝部へ嵌合して縦框に支持させて行くとき、羽板を支持しない支持板を溝部へ嵌合して、羽板のない部分を生じさせることで羽板が間歇配列された態様を示している。
【図１０】（ａ）（ｂ）（ｃ）は、図７（ａ）に示す支持板を用いた羽板の縦框への取付態様を示すもので、図１０（ａ）は、支持板に形成された大きい傾き角の受溝に羽板を支持させた例を示し、図１０（ｂ）は、中間の傾き角の受溝に羽板を支持させた例を示し、図１０（ｃ）は小さい傾き角の受溝に羽板を支持させた例を示している。
【図１１】（ａ）（ｂ）（ｃ）は、図７（ｂ）に示す支持板を用いた羽板の縦框への取付態様を示すもので、図１１（ａ）は、支持板を右に傾けて縦框の溝部へ嵌合することで、羽板の傾き角を大きくした例を示し、図１１（ｂ）は、支持板を直立で縦框の溝部へ嵌合することで、羽板の傾き角を中にした例を示し、図１１（ｃ）は支持板を左に傾けて縦框の溝部へ嵌合することで、羽板の傾き角を小さくした例を示している。
【図１２】支持板が上部及び下部に相欠を形成されて、縦框の溝部へ嵌合されて他の支持板と重なるとき、上記相欠の係合によって接近し、羽板の一部分が上下へ開口する隙間５を有して重なりを生じた態様の説明図。
【発明を実施するための最良の形態】
【００２１】
以下に本発明に係るルーバーフェンスの実施形態を図面に付いて説明する。
【００２２】
図１、図８において符号Ａは、本発明のルーバーフェンスを示すものであり、このルーバーフェンスＡは、左右の縦框１、１と上下の横框２、２で形成されたフェンス枠３の内部に、両端を左右の縦框１、１に支持させた羽板４が、隙間５を有するように並設されたものであって、上記フェンス枠３における左右の縦框１、１は、対応する内面に長手方向の溝部６、６を形成され、上記羽板４は両端に支持板７、７を取り付けられて、これら支持板７、７を上記縦框１、１に形成された溝部６、６へ嵌合することで縦框１、１に支持され、上記支持板７、７は上記縦框１、１に形成された溝部６、６の開口に対応する部分に、上記羽板４を嵌合させる受溝８、８を図５に示す通り０°〜４５°好ましくは１５°〜３０°の傾き角で、溝端８ａ、８ｂが支持板７、７の上下の端縁７ａ、７ｂより隙間代Ｓだけ離れるように形成されていることを特徴とする。
【００２３】
上記フェンス枠３は、左右の縦框１、１と、上下の横框２、２を、図２に示す継手部材９がＬ形に設けられた挿入部１０及び１１を、上記縦框１、１及び横框２、２に形成された嵌入孔１２及び１３へ挿嵌することで結合して形成されたものであり、上記縦框１、１の対応する内面に長手方向に形成された溝部６、６は、開口側に支持板７の離脱を防止させる縁部１４、１４を、側壁の中間部に上記支持板７、７の移動を案内させるガイドレール１５、１５を図２に示す通り形成される。そして、これら縦框１、１及び横框２、２は、合成樹脂又は金属材料等の成形加工か、木材等の切削加工等で形成される。
【００２４】
尚、図２において、横框２、２は内側面が平面に形成された縦框１、１とは別形状のものを用いているが、外観にはこだわらず価格の低減を図りたい場合は、縦框１を共用することができる。
【００２５】
上記羽板４は、図３に示す通り細長くて薄い板状のものであれば、同図の通りの無垢の平板か、又は図４（ａ）に示す中空の平板か、図４（ｂ）に示す中空の楕円形板等か、或いは、図４（ｃ）示す通り薄板をくの字形に曲げたもの、図４（ｄ）に示す通り斜めの薄板の上端と下端の一部分が垂直部４ａ、４ａをなすもの等を使用することができるものであって、これら羽板４も、合成樹脂又は金属材料等の成形加工か、木材等の切削加工等で形成される。
【００２６】
上記羽板４の両端に取り付けられる支持板７の基本構造は、図５（ａ）（ｂ）に示す通り
、上記縦框１、１に形成された溝部６、６に適合する形状に形成されて、両側面には上記溝部６、６の側壁の中央部に形成されたガイドレール１５、１５に係合させるガイド溝１６、１６を形成され、上記溝部６、６の開口部に対応する内面には、上記羽板４を嵌合させる受溝８を、傾き角が０°〜４５°好ましくは１５°〜３０°であって、溝端８ａ及び８ｂと支持板７、７の上縁７ａ及び下縁７ｂの間に、必要とする羽板４、４の隙間、２〜３０ｍｍ、好ましくは２〜１５ｍｍが得られる隙間代Ｓを生じるように形成されるもであり、この支持板７、７も合成樹脂又は金属材料等の成形加工か、木材等の切削加工等で形成される。
【００２７】
上記支持板７、７は、羽板４を嵌合する受溝８をある傾き角で一条形成されるだけであるため、羽板４がその傾き角で縦框１、１に取り付けられた１種類のルーバーフェンＡしか製作することができない。しかし、市場では羽板の傾き角がこれよりも大きいルーバーフェンスＡや、これよりも小さいルーバーフェンスＡの要望もあるから、この要望には羽板４の受溝８を異なる傾き角で形成された複数種類の支持板７、７を用意することでも対応はできる。しかし、この場合は、支持板７の種類が増すため製品のコストアップを生ずるので、１枚の支持板７で受溝８の傾き角を複数種類に変更できることが要求される。
【００２８】
上記要求を満たす第１の手段は、図７（ａ）に示す通り支持板７−１の内面に羽板４の受溝を傾き角が異なった８−１、８−２、８−３の３種類を形成して、これら受溝８−１、８−２、８−３の何れかを選択して、羽板４の両端を嵌合することで羽板４の傾き角θを大、中、小の三種類に変化させることができるようにする。
【００２９】
上記要求を満たす第２の手段は、図７（ｂ）に示す通り支持板７−２の内面に羽板４の受溝８を１つ形成するだけであるが、支持板７−２を縦框１の溝部６に嵌合させる態様を三種類に変化させることで、１つの受溝８の傾き角を大、中、小の三種類に変化させられるようにする。このため、支持板７の外形は、斜めに対応する対辺（イ）と対辺（ロ）、対辺（ハ）と対辺（ニ）、対角（ホ）と対角（ヘ）の距離が、相等しくなる菱形に形成されて、この菱形の上側の稜部と下側の稜部は、同一半径の円弧面１７、１８となるように切除され、これら円弧面１７、１８には、上記支持板７を、縦框１、１に形成された溝部６、６へ嵌合させる態様を三種類に変化させるとき、互に噛み合って支持板７−２の溝部６、６の嵌合態様を保持させるための歯形１９、２０を形成されている。
【００３０】
なお、ルーバーフェンスＡは、傾斜して縦框１、１に支持される各羽板４の間に隙間５を存在させるのが一般的であるが、目隠しの効果を高めるため隣り合う各羽板４の端部に若干の重り合いが生ずるようにしたい場合もある。この場合は、図７（ｃ）に示す通り、支持板７−３の上部と下部に相欠２１と２２を形成して置き、支持板７−３を溝部６へ嵌合させて重ならせるとき、上記相欠２１と２２が係合して上下に隣り合う支持板７−３、７−３を接近させ、これに支持される上側の羽板４の下端と下側の羽板４の上端が図１２に示す通り若干重り合うようにして、前後は閉じられて上下に開口する隙間５を形成させることで、覗き見が完全に防止されるようにする。
【００３１】
上記の通り構成されるルーバーフェンスＡは、図５（ａ）（ｂ）に示す支持板７、７を使用する場合は、左右の縦框１、１と下の横框２を図２に示す継手部材９で接合して、図８に示す通り上方が開放したフェンス枠３を構成する。そして、必要数が準備されている各羽板４の両端へ、図８に示す支持板７、７を内側面に形成された受溝８、８を嵌合させることで取り付けると、羽板４は上記受溝８、８によって傾き角θと隙間代Ｓを与えられるから、各支持板７、７を図１１に示す通り縦框１、１に形成された溝部６、６ヘ順次に嵌合させて下方に移動させ、各支持板７、７を重なり合わせて、総べての羽板４の取り付けが終わったとき、縦框１、１の上端へ継手部材９、９で上の横框２を接合させてフェンス枠３を完成させれば、このフェンス枠３の内部に必要数の羽板４が希望する傾き角θと、隙間５を有して前向きに配列された図１に示す通りのルーバーフェンスＡが、ＤＩＹで簡単に製作される。
【００３２】
上記のように製作されたルーバーフェンスＡは、羽板４の傾く方向が図９（ａ）の通り左向きであった場合、羽板４が反対の右向きに傾くルーバーフェンスを製作した場合は、支持板７、７を両端に取り付けた羽板４を１８０°転回させると、支持板７、７の左右が入れ替わるため、この状態で支持板７、７を縦框１、１に形成された溝部６、６へ嵌合させると、羽板４が図９（ｂ）に示す通り右向きに傾いたルーバーフェンスＡを簡単に製作することができる。
【００３３】
上記の通り羽板４は１８０°の転換で傾き方向を変換することができるから、羽板４を両端に取り付けられた支持板７、７を溝部６、６に嵌合させて縦框１、１に支持させる際、上記羽板４の傾き方向を変換する操作を１枚置きに行なえば、図９（ｃ）に示す通り傾き方向を交互に変換された羽板４が隙間５を有して配列されたルーバーフェンスＡを製作することができ、また、羽板４の傾き方向を変換する操作を複数枚置きに行えば、図面には示してないが、傾き方向が複数枚置きに変化する羽板４が隙間５を有して配列されたルーバーフェンスＡも簡単に製作することができる。
【００３４】
また、羽板４を両端に取り付けられた支持板７、７を溝部６、６へ嵌合させて縦框１、１に支持させる際、希望する位置において羽板４が取り付けられない支持板７、７を、溝部６、６へ嵌合させて羽板４が抜けた部分を生じさせ、次に羽板４が取り付けられた支持板７、７を溝部６、６に嵌合させて縦框１、１に支持させる操作を行なえば、図９（ｄ）に示す通り、羽板４が間引きされて間歇配列となったルーバーフェンスＡを製作することができる。
【００３５】
次に、１枚の支持板７−１が傾き角θの異なる複数種類の受溝８−１、８−２、８−３を形成されて、これら受溝８−１、８−２、８−３を選択して使用することで、羽板４の傾き角θが異なる複数種類のルーバーフェンスＡを製作する実施例を説明する。この場合は、必要数の羽板４の端部に、図１０（ａ）に示す通り傾き角θが大きい受溝８−１を選択して嵌合させることで支持板７を取り付ける。そして、これら支持板７を縦框１、１に形成された溝部６、６へ順次に嵌合して移動させることで重ね合わせると、羽板４が受溝８−１に規制されて図１０（ａ）に示す通り大きい傾き角θと隙間５を有してフェンス枠３内に配列されたルーバーフェンスＡを簡単に製作することができる。
【００３６】
しかし、必要数の羽板４の端部に図１０（ｂ）に示す通り、傾き角θが中の受溝８−２を選択して嵌合させることで支持板７を取り付ける場合は、これら支持板７−１を縦框１
、１に形成された溝部６、６へ順次に嵌合して移動させる。そして、これら支持板７−１を縦框１、１に形成された溝部６、６へ順次に嵌合して移動させることで重ね合わせると、羽板４が受溝８−２に規制されて、図１０（ｂ）に示す通り中の傾き角θと隙間５を有してフェンス枠３内に配列されたルーバーフェンスＡを簡単に製作することができる。
【００３７】
また、必要数の羽板４の端部に図１０（ｃ）に示す通り、傾き角θが小の受溝８−３を選択して嵌合させることで支持板７−１を取り付ける場合は、これら支持板７−１を縦框１、１に形成された溝部６、６へ順次に嵌合して移動させることで重ね合わせると、羽板４が受溝８−３に規制されて、図１０（ｃ）に示す通り小の傾き角θと相互隙間５を有してフェンス枠３内に配列されたルーバーフェンスＡを簡単に製作することができる。
【００３８】
更に支持板７−２を、縦框１、１に形成された溝部６、６へ嵌合させる態様を複数種類に変換することが可能な形状とすることで、内側面に形成された一条の受溝８の傾き角θを複数種類に変換して、羽板４の傾き角θが異なった複数種類のルーバーフェンスＡを製作する実施例について説明する。この場合は、支持板７−２の外形が、斜めに対応する対辺（イ）と対辺（ロ）、対辺（ハ）と対辺（ニ）及び対角（ホ）と対角（ヘ）の距離が、相等しくなる菱形に形成されて、この菱形の上側の稜部と下側の稜部を同一半径の円弧面１７、１８となるように切除されて、これら円弧面１７、１８には、上記支持板７を、縦框１、１に形成される溝部６、６へ嵌合させる態様を三種類に変化させるとき、互に噛み合って支持板７に嵌合態様を保持させるための歯形１９、２０を形成されているから、この支持板７を図１１（ａ）に示す通り、対辺（イ）と対辺（ロ）で縦框１、１の溝部６、６へ嵌合させれば、同図に示す通り受溝８が大きい傾き角θをなしているので、受溝４に端部を嵌合された羽板４は受溝６に規制されて大きい傾き角θで相互隙間５を有するように配列されるルーバーフェンスＡを簡単に製作することができる。
【００３９】
しかし、支持板７を図１１（ｂ）に示す通り、対角（ホ）と対角（ヘ）で縦框１、１の溝部６、６へ嵌合させれば、同図に示す通り受溝８が中の傾き角θに設定されるから、受溝４に端部を嵌合された羽板４は、該受溝６に規制されて中の傾き角θで隙間５を有するように配列されたルーバーフェンスＡを簡単に製作することができる。
【００４０】
また、支持板７を図１１（ｃ）に示す通り、対辺（ハ）と対辺（ニ）で縦框１、１の溝部６、６へ嵌合させれば、受溝８が同図に示す通り小の傾き角θに設定されるから、受溝４に端部を嵌合された羽板４は、該受溝６に規制されて小の傾き角θで相互隙間５を有するようにフェンス枠内に配列されたルーバーフェンスＡを簡単に製作することができる。
【００４１】
上記実施例に示した各ルーバーフェンスＡは、上記隙間５が前後の方向に開口して、覗き見をされる恐れがあるから、ない方がよい場合もあってこの場合は、支持板７−３を上部と下部に図７（ｃ）に示す通り相欠２１と２２が形成されたものとして、支持板７−３を縦框１に形成された溝部６へ嵌合して重なり合わせると、上記相欠２１と２２が係合して、支持板７−３、７−３を相欠２１、２２の寸法だけ接近させ、支持される羽板４、４に一部分の重なりを生じさせると、この部分には前後方向は閉じて上下方向に開口する隙間５が存在させることが望ましいので、羽板４は図４（ｄ）に示す通り斜辺の上下に垂直部を有する形状のものを用いるとよい。
【００４２】
尚、本発明に係るルーバーフェンスＡは、図７（ａ）（ｂ）（ｃ）に示す通りの支持板７−１、７−２、７−３を用いる場合も、前向きの羽板を１８０°転換すると、後向きに変わるので、同一の部材で前向きのルーバーフェンスと後向きのルーバーフェンスを簡単に製作することができ、しかも、羽板の向きを一枚置き或いは複数枚置きに変えれば、異なる向きの羽板が隙間を有して混在するルーバーフェンスを簡単に製作することかでき、更に、羽板が取り付けられない支持板を併用して、この支持板を羽板が取り付けられた支持板の間へ、１枚置き又は複数枚置きに挟み込めば、羽板が間引きされて間歇配列となったルーバーフェンスを簡単に製作することもできる効果は、図５に示す支持板７、７を用いる場合と同様に奏される。
【産業上の利用可能性】
【００４３】
羽板の両端に支持板を取り付けて、これら支持板を縦框の溝部へ嵌合して重ね合わせることで、羽板が傾き角と隙間を有して、多種多様に配列されたルーバーフェンスをＤＩＹで容易に製作することが可能となる。
【符号の説明】
【００４４】
Ａ  ルーバーフェンス
１、１  左右の縦框
２、２  上下の横框
３  フェンス枠
４  羽板
５  羽板の隙間
６、６  左右の縦框に形成された溝部
８  羽板の受溝
７、７  一対の支持板
θ  羽板の傾き角
Ｓ  隙間代
【図１】
2013227753.tif 000003
【図２】
2013227753.tif 000004
【図３】
2013227753.tif 000005
【図４】
2013227753.tif 000006
【図５】
2013227753.tif 000007
【図６】
2013227753.tif 000008
【図７】
2013227753.tif 000009
【図８】
2013227753.tif 000010
【図９】
2013227753.tif 000011
【図１０】
2013227753.tif 000012
【図１１】
2013227753.tif 000013
【図１２】
2013227753.tif 000014